【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
物体側から順に、正の対物光学系と正の接眼光学系が配置され、また、対物光学系により形成された実像を正立正像させる像反転手段を有する実像式変倍ファインダーにおいて、
前記対物光学系は、物体側より順に、負の第１群、正の第２群、負の第３群と、少なくとも正と負の反射面を有し、また、第１〜３群の合成焦点距離が負で、この中少なくとも２つの群が変倍のため移動し、さらに、反射面の中少なくとも１面は回転非対称な面であることを特徴とする実像式変倍ファインダー。
【請求項２】
次の条件式を満たすことを特徴とする請求項１記載の実像式変倍ファインダー。
−３．０＜ｆw ／ｆ1-3 ＜−０．３                      ・・・（１）
ただし、ｆw は対物光学系の広角端での焦点距離、ｆ1-3 は第１〜３群の広角端での合成焦点距離である。
【請求項３】
次の条件式を満たすことを特徴とする請求項１記載の実像式変倍ファインダー。
０．５＜ｆ1 ／ｆ3 ＜５．０                            ・・・（２）
ただし、ｆ1 は第１群の焦点距離、ｆ3 は第３群の焦点距離である。
【請求項４】
中間結像面より物体側に配置される像反転光学系には、次の条件式を満たしている反射面を少なくとも１面有していることを特徴とする請求項１記載の実像式変倍ファインダー。
０．０１＜｜２ｎ・Ｉｈ／（ｒ cosθ）｜＜１．０        ・・・（３）
ただし、ｒは軸上主光線が通過する地点での曲率半径、ｎは入射射出側のｄ線の屈折率、θは反射角、Ｉｈは最大の中間結像高である。
【請求項５】
物体側から順に、正の対物光学系と正の接眼光学系が配置され、また、対物光学系により形成された実像を正立正像させる像反転手段を有する実像式変倍ファインダーにおいて、
前記対物光学系は、物体側より順に、正の第１群、負の第２群、正の第３群と、少なくとも１面が入射する主光線と反射後の主光線とを含む平面上若しくはその平面に垂直な方向でパワーを有する回転非対称な反射面を有し、また、第１〜３群の合成焦点距離が負で、この中少なくとも２つの群が変倍のため移動することを特徴とする実像式変倍ファインダー。
【請求項６】
次の条件式を満たすことを特徴とする請求項５記載の実像式変倍ファインダー。
−１．２＜ｆw ／ｆ1-3 ＜−０．１５                    ・・・（４）
ただし、ｆw は対物光学系の広角端での焦点距離、ｆ1-3 は第１〜３群の広角端での合成焦点距離である。
【請求項７】
次の条件式を満たすことを特徴とする請求項５記載の実像式変倍ファインダー。
−０．５＜ｆ2 ／ｆ1 ＜−０．０５                      ・・・（５）
ただし、ｆ1 は第１群の焦点距離、ｆ2 は第２群の焦点距離である。
【請求項８】
中間結像面より物体側に配置される像反転光学系には、次の条件式を満たしている反射面を少なくとも１面有していることを特徴とする請求項５記載の実像式変倍ファインダー。
０．０１＜｜２ｎ・Ｉｈ／（ｒ cosθ）｜＜１．０        ・・・（６）
ただし、ｒは軸上主光線が通過する地点での曲率半径、ｎは入射射出側のｄ線の屈折率、θは反射角、Ｉｈは最大の中間結像高である。
【請求項９】
物体側から順に、正の対物光学系と正の接眼光学系が配置され、また、対物光学系により形成された実像を正立正像させる像反転手段を有する実像式変倍ファインダーにおいて、
前記対物光学系は、物体側より順に、負の第１群、負の第２群、正の第３群と、少なくとも１面が入射する主光線と反射後の主光線とを含む平面上若しくはその平面に垂直な方向でパワーを有する回転非対称な反射面を有し、この中少なくとも２つの群が変倍のため移動することを特徴とする実像式変倍ファインダー。
【請求項１０】
次の条件式を満たすことを特徴とする請求項９記載の実像式変倍ファインダー。
−１．５＜ｆ1-2 ／ｆ3 ＜−０．３                      ・・・（７）
ただし、ｆ1-2 は第１〜２群の広角端での合成焦点距離、ｆ3 は第３群の焦点距離である。
【請求項１１】
次の条件式を満たすことを特徴とする請求項９記載の実像式変倍ファインダー。
０．１＜ｆ2 ／ｆ1 ＜１．０                            ・・・（８）
ただし、ｆ1 は第１群の焦点距離、ｆ2 は第２群の焦点距離である。
【請求項１２】
中間結像面より物体側に配置される像反転光学系には、次の条件式を満たしている反射面を少なくとも１面有していることを特徴とする請求項９記載の実像式変倍ファインダー。
０．００５＜｜２ｎ・Ｉｈ／（ｒ cosθ）｜＜０．５      ・・・（９）
ただし、ｒは軸上主光線が通過する地点での曲率半径、ｎは入射射出側のｄ線の屈折率、θは反射角、Ｉｈは最大の中間結像高である。
【請求項１３】
物体側から順に、正の対物光学系と正の接眼光学系が配置され、また、対物光学系により形成された実像を正立正像させる像反転手段を有する実像式変倍ファインダーにおいて、
前記対物光学系は、物体側より順に、正の第１群、負の第２群、正の第３群と、少なくとも１面が入射する主光線と反射後の主光線とを含む平面上若しくはその平面に垂直な方向でパワーを有する反射面を有し、また、第１〜３群の合成焦点距離が正で、この中少なくとも２つの群が変倍のため移動し、さらに、反射面の中少なくとも１面は回転非対称な面であることを特徴とする実像式変倍ファインダー。
【請求項１４】
次の条件式を満たすことを特徴とする請求項１３記載の実像式変倍ファインダー。
２＜ｆ1 ／ｆw ＜３０                                  ・・・（10）
ただし、ｆ1 は第１群の焦点距離、ｆw は対物光学系の広角端の焦点距離である。
【請求項１５】
次の条件式を満たすことを特徴とする請求項１３記載の実像式変倍ファインダー。
０．７＜ｆ3 ／ｆ1-3 ＜２．５                          ・・・（11）
ただし、ｆ3 は第３群の焦点距離、ｆ1-3 は第１〜３群の広角端での合成焦点距離である。
【請求項１６】
中間結像面より物体側に配置される像反転光学系には、次の条件式を満たしている反射面を少なくとも１面有していることを特徴とする請求項１３記載の実像式変倍ファインダー。
０．０１＜｜２ｎ・Ｉｈ／（ｒ cosθ）｜＜１．０        ・・・（12）
ただし、ｒは軸上主光線が通過する地点での曲率半径、ｎは入射射出側のｄ線の屈折率、θは反射角、Ｉｈは最大の中間結像高である。
【請求項１７】
変倍の際の移動群は２つのみであることを特徴とする請求項１〜１６の何れか１項記載の実像式変倍ファインダー。
【請求項１８】
結像作用は１回のみであることを特徴とする請求項１〜１６の何れか１項記載の実像式変倍ファインダー。
【請求項１９】
変倍の際、第１群は固定群であることを特徴とする請求項１〜１６の何れか１項記載の実像式変倍ファインダー。
【請求項２０】
中間結像面よりも物体側に少なくとも正と負の反射面を１面ずつ有していることを特徴とする請求項５〜１６の何れか１項記載の実像式変倍ファインダー。
【請求項２１】
中間結像面よりも物体側の少なくとも２面が回転非対称面で構成されていることを特徴とする請求項１〜１６の何れか１項記載の実像式変倍ファインダー。
【請求項２２】
中間結像面より物体側には少なくとも３面の反射面を有していることを特徴とする請求項１〜１６の何れか１項記載の実像式変倍ファインダー。
【請求項２３】
反射面の中にダハ面を有していることを特徴とする請求項１〜１６の何れか１項記載の実像式変倍ファインダー。
【請求項２４】
対物光学系の移動群は反射面を有していない屈折光学系であることを特徴とする請求項１〜１６の何れか１項記載の実像式変倍ファインダー。
【請求項２５】
中間結像面より物体側に配置される像反転光学系は変倍中は固定であることを特徴とする請求項１〜１６の何れか１項記載の実像式変倍ファインダー。
【請求項２６】
対物光学系に入射する軸上主光線と接眼光学系から射出する軸上主光線は、平行又は略平行に構成されていることを特徴とする請求項１〜１６の何れか１項記載の実像式変倍ファインダー。
【請求項２７】
対物光学系に入射する軸上主光線と接眼光学系から射出する軸上主光線とのなす角度は次の条件式を満たすことを特徴とする請求項２６記載の実像式変倍ファインダー。
０°≦φ＜２０°                                      ・・・（21）
ただし、φは入射する軸上主光線と射出する軸上主光線のなす角度である。
【請求項２８】
次の条件式を満たすことを特徴とする請求項１〜１６の何れか１項記載の実像式変倍ファインダー。
２．５≦ｆt ／ｆw ≦１０．０                          ・・・（22）
ただし、ｆw は対物光学系の広角端の焦点距離、ｆt は対物光学系の望遠端の焦点距離である。
【請求項２９】
中間結像面より物体側には回転対称非球面を有し、その中少なくとも１面は次の条件式を満たしていることを特徴とする請求項１〜１６の何れか１項記載の実像式変倍ファインダー。
０．００１＜｜（ｎ’−ｎ）・（１／ｒ−１／ｒASP ）・Ｉｈ｜
＜０．０５      ・・・（23）
ただし、ｎ’は屈折側媒質の屈折率、ｎは入射側媒質の屈折率（反射面の場合はｎ’＝ｎになる。）、ｒは光軸上での近軸曲率半径、ｒASP は周辺部の曲率半径の中有効径内で最も変化したときの曲率半径、Ｉｈは最大の中間結像高とする。
【請求項３０】
非回転対称な反射面の中少なくとも１面の反射角は次の条件式を満たしていることを特徴とする請求項１〜１６の何れか1 項記載の実像式変倍ファインダー。
５°＜θ＜６０°                                      ・・・（24）
ただし、θは軸上主光線の反射角である。
【請求項３１】
請求項１〜３０の何れか１項に記載の実像式変倍ファインダーとそれとは別体に構成された撮影レンズとを備えたことを特徴とするカメラ。